(57)【要約】【課題】鉄筋コンクリート造の基礎の構築に用いられる新たなプレキャストコンクリート部材を提供すること。【解決手段】鉄筋コンクリート造の床板（１４）及び床板上の基礎梁（１６）からなり、また、複数の直線部及び複数のコーナ部からなる周縁を有する基礎を構築するために用いられる第１のＰＣ部材（１０）及び第２のＰＣ部材（１２）と、これらのＰＣ部材を含む基礎の構築方法とを提供する。第１及び第２のＰＣ部材は、それぞれ、基礎の周縁の各直線部と各コーナ部とにおいて、基礎の床板（１４）の一部をなす床板部（１８、２２）と床板及び基礎梁（１６）の双方の一部をなす基礎梁部（２０、２４）とを有する。また、第１のＰＣ部材の床板部（１８）及び第２のＰＣ部材の床板部（２２）は、それぞれ、上方及び側方へそれぞれ伸びる少なくとも１つの定着筋（２６、２８、３０，３２）を有する。【選択図】図１
2016098479.tif 000002
【特許請求の範囲】
【請求項１】
鉄筋コンクリート造の床板及び該床板上の基礎梁からなり、また、複数の直線部及び複数のコーナ部からなる周縁を有する基礎を構築するために用いられる第１のプレキャストコンクリート部材及び第２のプレキャストコンクリート部材であって、
前記第１のプレキャストコンクリート部材及び前記第２のプレキャストコンクリート部材は、それぞれ、前記基礎の周縁の各直線部と各コーナ部とにおいて、前記基礎の床板の一部をなす床板部と前記床板及び前記基礎梁の双方の一部をなす基礎梁部とを有し、
前記第１のプレキャストコンクリート部材の床板部及び前記第２のプレキャストコンクリート部材の床板部は、それぞれ、上方及び側方へそれぞれ伸びる少なくとも１つの定着筋を有する、第１のプレキャストコンクリート部材及び第２のプレキャストコンクリート部材。
【請求項２】
請求項１に記載の第１のプレキャストコンクリート部材及び第２のプレキャストコンクリート部材を用いて鉄筋コンクリート造の床板及び該床板上の基礎梁からなる基礎を構築する方法であって、
地盤上に、構築予定の前記基礎の周縁に沿って、複数の第１のプレキャストコンクリート部材と複数の第２のプレキャストコンクリート部材とをこれらの床板部が前記周縁の内側を向きかつこれらの基礎梁部同士が互いに接するように並べて配置すること、
前記周縁に沿って配置された複数の第１及び第２のプレキャストコンクリート部材が規定する前記地盤上の空間に配筋を施すこと、
前記地盤上の空間に、複数の第１及び第２のプレキャストコンクリート部材の床板部の周囲を満たすコンクリートを打設し、これにより複数の第１及び第２のプレキャストコンクリート部材の床板部及び基礎梁部の一部分と、打設されたコンクリートとからなる床板を形成すること、
前記床板上に、複数の第１及び第２のプレキャストコンクリート部材の基礎梁部と平行に複数の型枠を配置し、また、該型枠間に複数の他の型枠を配置し、これにより前記床板上に前記基礎梁部と前記複数の型枠と前記複数の他の型枠とが規定する格子状の空間を形成すること、
前記格子状の空間の形成に先立ち、形成予定の前記格子状の空間に配筋を施すこと、
前記床板上に、前記格子状の空間を満たすコンクリートを打設し、これにより前記基礎梁部と打設されたコンクリートとからなる基礎梁を形成することを含む、基礎の構築方法。
【請求項３】
前記構築予定の基礎の周縁に沿って配置される前記第１及び第２のプレキャストコンクリート部材において隣接する２つの第１のプレキャストコンクリート部材間又は隣接する前記第１のプレキャストコンクリート部材と前記第２のプレキャストコンクリート部材との間に前記第１のプレキャストコンクリート部材を配置するのに十分でない大きさの隙間が生じるとき、前記周縁の外側に、型枠を、前記隣接する第１の両プレキャストコンクリート部材又は前記隣接する第１及び第２のプレキャストコンクリート部材に接するように配置することを含む、請求項２に記載の基礎の構築方法。
【請求項４】
前記構築予定の基礎の周縁に沿って配置される前記第１及び第２のプレキャストコンクリート部材において隣接する２つの第１のプレキャストコンクリート部材間又は隣接する前記第１のプレキャストコンクリート部材と前記第２のプレキャトコンクリート部材との間に前記第１のプレキャストコンクリート部材を配置するのに十分でない大きさの隙間が生じるとき、前記周縁の内側に、他の第１のプレキャストコンクリート部材を、前記隣接する第１の両プレキャストコンクリート部材又は前記隣接する第１及び第２のプレキャストコンクリート部材に接するように配置することを含む、請求項２に記載の基礎の構築方法。
【請求項５】
前記格子状空間を形成するに先立ち、前記形成された床板上に前記型枠を支持するための複数の支持金具を設置する、請求項２〜４のいずれか１項に記載の基礎の構築方法。
【発明の詳細な説明】
【技術分野】
【０００１】
本発明は、コンクリート造の建築物を支える鉄筋コンクリート造の基礎の一部として用いられるプレキャストコンクリート部材及び該プレキャストコンクリート部材を用いて基礎を構築する方法に関する。
【背景技術】
【０００２】
従来、鉄筋コンクリート造の基礎の構築において、地盤上への配筋及びコンクリートの打設を経て形成された床板の上に基礎梁を形成するために設置される型枠の一部をプレキャストコンクリート部材（ＰＣ部材）で構成し、また、該ＰＣ部材を前記基礎梁の一部とすることが提案されている。これによれば、前記基礎の構築における型枠工事の簡素化及びこれに伴う工期の短縮が可能である。
【先行技術文献】
【特許文献】
【０００３】
【特許文献１】特開平８−４１８９９号公報
【発明の開示】
【発明が解決しようとする課題】
【０００４】
本発明の目的は、前記従来の提案に鑑み、鉄筋コンクリート造の基礎の構築に用いられる新たなプレキャストコンクリート部材を提供することにある。また、本発明の他の目的は、前記プレキャストコンクリート部材を用いた基礎の構築方法を提供することにある。
【課題を解決するための手段】
【０００５】
本発明は、鉄筋コンクリート造の床板及び該床板上の基礎梁からなる基礎であって複数の直線部及び複数のコーナ部からなる周縁を有する基礎を構築するために用いられる第１のプレキャストコンクリート部材（第１のＰＣ部材）及び第２のプレキャストコンクリート部材（第２のＰＣ部材）を提供する。
【０００６】
前記第１のＰＣ部材及び前記第２のＰＣ部材は、それぞれ、前記基礎の周縁の各直線部と各コーナ部とにおいて前記基礎の床板の一部をなす床板部と前記床板及び前記基礎梁の双方の一部をなす基礎梁部とを有し、また、前記第１のＰＣ部材の床板部と前記第２のＰＣ部材の床板部とは、それぞれ、側方及び上方へそれぞれ伸びる少なくとも１つの定着筋を有する。
【０００７】
本発明によれば、前記第１及び第２のＰＣ部材はそれぞれ前記基礎の周縁の各直線部と各コーナ部とにおいて前記基礎の一部を構成することとなる床板部及び基礎梁部を有することから、構築予定の前記基礎の周縁に沿って配置される複数の前記第１及び第２のＰＣ部材と、これらのＰＣ部材が取り巻く空間に打設されるコンクリートとを以て鉄筋コンクリート造の前記基礎を構築することができる。前記周縁に沿って配置される複数の第１及び第２のＰＣ部材は打設される前記コンクリートの型枠として機能し、これが前記基礎の構築に要する型枠工事や鉄筋工事の削減に寄与し、また、これに伴う工期の短縮に寄与する。
【０００８】
また、前記第１のＰＣ部材の床板部及び前記第２のＰＣ部材の床板部から側方及び上方へそれぞれ伸びる少なくとも１つの定着筋は前記打設コンクリートに埋設され、該定着筋を介して、前記床板部と前記打設コンクリートが規定する残余の床板部及び残余の基礎梁部との間に強固な一体性が付与される。
【０００９】
前記第１及び第２の両ＰＣ部材を用いた前記基礎の構築は、次のようにして行うことができる。
【００１０】
地盤上に、構築予定の前記基礎の周縁に沿って、複数の第１のプレキャストコンクリート部材と複数の第２のプレキャストコンクリート部材とをこれらの床板部が前記周縁の内側を向きかつこれらの基礎梁部同士が互いに当接するように並べて配置する。次に、前記周縁に沿って配置された複数の第１及び第２のプレキャストコンクリート部材が規定する前記地盤上の空間に配筋を施し、前記地盤上の空間に、複数の第１及び第２のプレキャストコンクリート部材の床板部の周囲を満たすコンクリートを打設し、これにより複数の第１及び第２のプレキャストコンクリート部材の床板部及び基礎梁部の一部分と、打設されたコンクリートとからなる床板を形成する。その後、前記床板上に、複数の第１及び第２のプレキャストコンクリート部材の基礎梁部と平行に複数の型枠を配置し、また、該型枠間に複数の他の型枠を配置し、これにより前記床板上に前記基礎梁部と前記複数の型枠と前記複数の他の型枠とが規定する格子状の空間を形成する。前記格子状の空間の形成に先立ち、形成予定の前記格子状の空間に配筋を施す。その後、前記床板上に、前記格子状の空間を満たすコンクリートを打設し、これにより前記基礎梁部と打設されたコンクリートとからなる基礎梁を形成する。
【００１１】
また、前記構築予定の基礎の周縁の長さと、該周縁に沿って並べて配置される前記複数の第１及び第２のＰＣ部材の長さの総和との間に差があり、このため、互いに隣接する２つの第１のＰＣ部材の相互間隔又は前記第１のＰＣ部材と前記第２のＰＣ部材との相互間隔の大きさが、前記第１のＰＣ部材を配置するのに十分でないことがある。このときは、前記周縁の外側に型枠を、又は、前記周縁の内側の内側に他の第１のＰＣ部材を、両隣の２つの第１のＰＣ部材又は第１及び第２の両ＰＣ部材に接するように配置する。
【００１２】
また、前記格子状空間を形成するに先たち、前記形成された床板上に前記型枠を支持するための複数の支持金具を設置することができる。
【図面の簡単な説明】
【００１３】
【図１】構築予定の基礎の周縁に沿って地盤上に配置された第１のプレキャストコンクリート（第１のＰＣ部材）及び第２のプレキャストコンクリート部材（第２のＰＣ部材）の概略的な斜視図である。
【図２】構築予定の基礎の周縁に沿って配置された第１のＰＣ部材相互間に隙間が生じる場合にこれを塞ぐための型枠がさらに配置された状態を示す、図１と同様の斜視図である。
【図３】構築予定の基礎の周縁に沿って配置された第１のＰＣ部材相互間に隙間が生じる場合にこれを塞ぐための他の第１のＰＣ部材がさらに配置された状態を示す、図１と同様の斜視図である。
【図４】第１及び第２の両ＰＣ部材の配置後に地盤上に配筋が施される状態を示す、図１と同様の斜視図である。
【図５】地盤上の空間にコンクリートが打設された状態を示す、図１と同様の斜視図である。
【図６】コンクリートの打設を経て形成された床板上に配筋が施され、型枠が設置される状態を示す、図１と同様の斜視図である。
【図７】コンクリートの打設により形成された床板上への配筋及び型枠の設置を完了した状態を示す、図１に示すと同様の斜視図である。
【図８】コンクリートの打設を経て基礎梁が形成された状態を示す、図１と同様の斜視図である。
【発明を実施するための形態】
【００１４】
図１及び図２を参照すると、地盤Ｅ上に鉄筋コンクリート造の基礎（図示せず）を構築するために用いられる第１のプレキャストコンクリート部材１０と第２のプレキャストコンクリート部材１２とが示されている。
【００１５】
前記基礎は、地盤Ｅ上に形成される床板１４（図６参照）と、該床板上に形成される格子状の基礎梁１６（図８参照）とからなり、鉄筋コンクリート構造の建物や鉄骨鉄筋コンクリート構造の建物であるコンクリート造の建物（図示せず）の支持を目的として構築される。
【００１６】
前記基礎は複数の直線部と複数のコーナ部とからなる周縁を有する。図示の例では、前記周縁は全体に矩形状を呈し、矩形の四辺に沿ってそれぞれ伸びる４つの直線部と、矩形の四隅にそれぞれ位置する４つのコーナ部とからなる。前記周縁は、図示の例のほか、例えば、クランク形に折れ曲がった部分を含むものがある。
【００１７】
第１のＰＣ部材１０は、前記基礎の周縁の各直線部において、前記基礎の床板１４の一部をなす床板部１８と、前記基礎の床板１４及び基礎梁１６の双方の一部をなす基礎梁部２０とを有する。他方、第２のＰＣ部材１２は、前記基礎の周縁の各コーナ部において、前記基礎の床板１４の一部をなす床板部２２と、前記基礎の床板１４及び基礎梁１６の双方の一部をなす基礎梁部２４とを有する。また、第１のＰＣ部材１０の床板部１８は側方及び上方へそれぞれ伸びる少なくとも１つの定着筋２６、２８を有し、第２のＰＣ部材１２の床板部２２は側方及び上方へそれぞれ伸びる少なくとも１つの定着筋３０、３２を有する。
【００１８】
図示の例において、第１のＰＣ部材１０の床板部１８及び基礎梁部２０は、それぞれ、直方体の外形を有するブロック体及び矩形の板体からなる（以下、理解を容易にするため、ブロック体１８、板体２０ということがある。）。
【００１９】
第１のＰＣ部材１０のブロック体１８は相対する二対の側面１８ａ、１８ｂと、これらの側面に連なりかつ上下に相対する一対の平面（頂面及び底面）１８ｃとを有する。また、第１のＰＣ部材１０の板体２０は、互いに相対する２つの板面（表裏面）２０ａと、互いに相対する一対の側面２０ｂと、両板面２０ａ及び両側面２０ｂに連なり、上下に相対する一対の平面（頂面及び底面）２０ｃとを有する。また、板体２０は、前記基礎の基礎梁の幅寸法（梁幅）より小さい大きさの板厚を有する。ブロック体１８と板体２０とはこれらの底面１８ｃ、２０ｃが同一の平面上にある。ブロック体１８は板体２０の表面２０ａの側にあって板体２０と一体をなしており、ブロック体１８と板体２０とはブロック体１８の両側面１８ａの一方と板体２０の表面２０ａとにおいて互いに連なっている。また、ブロック体１８の両側面１８ｂ間の長さは板体２０の両側面２０ｂ間の長さより小さく、ブロック体１８は板体２０の両側面２０ｂ間のほぼ中央に位置する。
【００２０】
図示の第１のＰＣ部材１０にあっては、ブロック体１８と、板体２０の一部２０Ａであるブロック体１８の各側面１８ｂと板体２０の各側面２０ｂとの間の板体２０の部分とが、前記基礎の床板１４の一部をなす。また、板体２０の残りの一部すなわちブロック体１８の頂面１８ｃの高さ位置から板体２０の頂面２０ｃの高さ位置までの部分が前記基礎の基礎梁１６の一部をなす。
【００２１】
他方、図示の第２のＰＣ部材１２の床板部２２及び基礎梁部２４は、それぞれ、直方体の外形を有するブロック体及び山形（図示の例では直角）に折れ曲がる板体（以下、理解を容易にするため、ブロック体２２、山形の板体２４ということがある。）からなる。
【００２２】
第２のＰＣ部材１２のブロック体２２は互いに直交する二対の側面２２ａ、２２ｂと、これらの側面に連なりかつ上下に相対する一対の平面（頂面及び底面）２２ｃとを有する。第２のＰＣ部材１２の板体２４は、山形に折れ曲がる２つの相対する板面（表裏面）２４ａと、一対の側面２４ｂと、山形の両板面２４ａ及び両側面２４ｂに連なり、上下に相対する一対の山形に折れ曲がる平面（頂面及び底面）２４ｃとを有し、また、第１のＰＣ部材１０における板体２０と同じ厚さ寸法を有する。ここにおいて、山形の表面２４ａは９０度に開き、また、山形の裏面２４ａは２７０度に開いている。ブロック体２２と山形の板体２４とはこれらの底面２２ｃ、２４ｃが同一の平面上にある。ブロック体２２は山形の板体２４の表面２４ａの側にあって板体２４と一体をなしており、ブロック体２２と板体２４とはブロック体２２の両側面２２ｂと板体２４の表面２４ａとにおいて互いに連なっている。ブロック体２２の各側面２２ａは、板体２４の各側面２４ｂから、板体２４の表面２４ａが規定する空間の内方に向けて、間隔をおかれている。
【００２３】
図示の第２のＰＣ部材１２にあっては、ブロック体２２と、板体２４の一部２４Ａすなわちブロック体２２の各側面２２ａと板体２４の各側面２４ｂとの間の部分とが、前記基礎の床板１４の一部をなす。また、板体２４の残りの一部すなわちブロック体２２の頂面２２ｃの高さ位置から板体２４の頂面２４ｃの高さ位置までの部分が前記基礎の基礎梁の一部をなす。
【００２４】
また、図示の第１のＰＣ部材１０にあっては、複数の定着筋２６がブロック体１８の一つの側面１８ａから該側面に対して直角な水平方向に伸び、また、１つの定着筋２６が各側面１８ｂから該側面に対して垂直な水平方向に伸びている。さらに、複数の定着筋２８が、ブロック体１８の頂面１８ｃから該頂面に対して垂直な上方向へ伸びている。また、図示の第２のＰＣ部材１２にあっては、同様に、２つの定着筋３０がそれぞれブロック体２２の直交する２つの側面２２ａから該側面に対して直角な水平方向に伸び、１つの定着筋３２が、ブロック体２２の頂面２２ｃから該頂面に対して垂直な上方向へ伸びている。
【００２５】
再び図１を参照すると、前記基礎を構築するために、整地された地盤Ｅ上に、構築予定の前記基礎の矩形の周縁上に帯状のモルタル層Ｍが形成され、その一部分（Ｌ形に折れ曲がる一部分）が示されている。また、モルタル層Ｍの前記一部分上に配置された複数の第１のＰＣ部材１０と１つの第２のＰＣ部材１２とが示されている。モルタル層Ｍの形成は、整地後の地盤Ｅの表面を凹凸の少ないより平坦なものとすることを目的として行うものである。したがって、地盤Ｅの表面が所要の平坦度を有するときは、モルタル層Ｍの形成を省略し、地盤Ｅ上に直接に第１及び第２のＰＣ部材１０、１２を配置することができる。
【００２６】
前記基礎の構築に際し、複数の第１のＰＣ部材１０と１つの第２のＰＣ部材１２とを前記周縁の各直線部と各コーナ部とに沿って、したがって前記周縁の全長にわたって、それぞれ配置する。図１においては、理解上の便宜のため、一つの前記直線部に沿って配置された２つの第１のＰＣ部材１０、これに隣接する一つの前記コーナ部に沿って配置された１つの第２のＰＣ部材１２、これに隣接する前記直線部の他の一つに沿って配置された１つの第１のＰＣ部材１０のみが示されている。なお、前記直線部の他の一つに沿って配置された１つの第１のＰＣ部材１０について、発明の理解を妨げる恐れのある図の煩雑を回避するため、便宜的に、図１においてはそのブロック体１８及び定着筋２６、２８を省略してその板体２０のみを想像線で示すに止め、また、後述する図４〜６においてはその図示を省略した。但し、後述する図７及び図８においては、このような発明の理解を妨げる恐れが少ないため、前記第１のＰＣ部材を実線で示した。
【００２７】
前記周縁に沿っての複数の第１及び第２のＰＣ部材１０、１２の配置は、これらのＰＣ部材１０、１２の床板部１８，２２が前記周縁の内側を向き、また、隣接する２つの第１のＰＣ部材１０が互いに接しかつ隣接する第１及び第２のＰＣ部材１０、１２が互いに接するように配置する。より詳細には、図１に示すように、隣接する２つの第１のＰＣ部材１０がこれらの基礎梁部２０の側面２０ｂにおいて対向しかつ接するように、また、隣接する第１及び第２の両ＰＣ部材１０、１２がこれらの基礎梁部２０、２４の側面２０ｂ、２４ｂにおいて対向しかつ接するように配置する。
【００２８】
前記周縁に沿って複数の第１及び第２のＰＣ部材１０、１２が配置されると、これらの床板部１８、２２が前記周縁に沿って互いに間隔をおいて並び、また、床板部１８、２２の両側面１８ｂ及び両側面２２ａからそれぞれ側方に伸びる定着筋２６、３０が前記周縁に沿って互いに間隔をおいて対向する。
【００２９】
隣接する２つの第１のＰＣ部材１０は、例えばコ字形の横断面形状を有する連結金具３４と平板状の連結金具（図示せず）を用いて、互いに連結する。コ字形の連結金具３４は、隣接する２つの第１のＰＣ部材１０の両基礎梁部２０にこれらの頂面２０ｃを跨ぐように被せ、釘（図示せず）で両基礎梁部２０に固定する。また、前記平板状の連結金は、両基礎梁部２０の裏面２０ａの下部に当て、釘（図示せず）で両基礎梁部２０に固定する。隣接する第１及び第２の両ＰＣ部材１０、１２の相互連結も、また、コ字形の連結金具３４及び前記平板状の連結金具を用いて、前記したと同様にして行うことができる。
【００３０】
第１及び第２のＰＣ部材１０、１２の使用総数は、前記周縁の全長の大きさによって異なる。また、前記周縁の全長の大きさによっては、前記周縁に沿って配置される全ての第１及び第２のＰＣ部材１０、１２が互いに接する場合（図１）と、隣接する２つの第１のＰＣ部材１０間に隙間Ｄ、すなわち第１のＰＣ部材１０の基礎梁部２０の両側面２０ｂ間の長さ寸法に満たない長さの隙間Ｄが生じる場合（図２及び図３）、又は隣接する第１及び第２の両ＰＣ部材１０、１２間に前記隙間が生じる場合（図示せず）とがある。
【００３１】
隙間Ｄが生じる場合、図２に示すように、前記周縁の外側に、型枠３６を、両隣の第１のＰＣ部材１０に接するように、より詳細には型枠３６の板面が両隣のＰＣ部材１０の基礎梁部２０の裏面２０ａに接するように配置し、さらに適当な連結部材（図示せず）を用いて第１の両ＰＣ部材１０と型枠３６とを相互に連結することができる。これにより、隙間Ｄが閉じられる。前記隙間が第１及び第２の両ＰＣ部材１０、１２間にあるときにおいても、同様に、型枠３６を配置することできる。
【００３２】
また、型枠３６を配置することに代えて、図３に示すように、前記周縁の内側に、他の第１のＰＣ部材１０を、両隣の第１のＰＣ部材１０に接するように、より詳細には他の第１のＰＣ部材１０の基礎梁部２０の裏面２０が第１の両ＰＣ部材１０の基礎梁部２０の表面２０ａに接するように配置し、さらに適当な連結部材（図示せず）を用いてこれらの３つの第１のＰＣ部材１０を相互に連結することができる。これにより、隙間Ｄが閉じられる。このとき、両隣の第１のＰＣ部材１０の床板部１８及び定着筋２６と、他の第１のＰＣ部材１０の床板部１８及び定着筋２６とが、基礎梁部２０の厚さ方向に関して該基礎梁部２０の厚さ寸法の大きさだけずれた状態で対向する。前記隙間が第１及び第２の両ＰＣ部材１０、１２間にあるときにおいても、同様に、他の第１のＰＣ部材１０を配置することできる。
【００３３】
前記周縁に沿って所要数の第１及び第２のＰＣ部材１０、１２を配置し、あるいはさらに型枠３６又は他の第１のＰＣ部材１０を配置すると、地盤Ｅ上に、これらのＰＣ部材１０、１２が取り巻く空間（取り巻き空間）が生じる。
【００３４】
その後、図４に示すように、前記取り巻き空間内において地盤Ｅ上に配筋を施す。前記配筋は、図示の例では、各床板部１８、２２の側面１８ａ、２２ａから伸びる定着筋２６、３０に重ね継手により接続される鉄筋３８及び該鉄筋に交差する鉄筋４０、床板部１８、２２の側面１８ｂ、２２ａから伸びる定着筋２６、３０に重ね継手により接続される鉄筋４２、床板部１８、２２相互間を伸びるＬ形鉄筋４４等を配置することにより行う。この配筋は、形成される床板１４の補強のために行われる。
【００３５】
配筋後、図５に示すように、前記取り巻き空間内の地盤Ｅ上に、複数の第１及び第２のＰＣ部材１０、１２の床板部１８、２２の周囲を満たすコンクリートＣ１を打設する。これにより複数の第１及び第２のＰＣ部材の床板部１８、２２及び基礎梁部２０，２４の一部分２０Ａ、２４Ａ（図１）と、打設されたコンクリートＣ１とからなる床板１４を形成する（図６）。ここにおいて、定着筋２６、３０はコンクリートＣ１に埋設され、コンクリートＣ１と既製のコンクリート部分である床板部１８、２２との相互結合の強度を高める働きをなす。また、このとき、各床板部１８、２２から上方に伸びる定着筋２８、３２とＬ形鉄筋４４とが、打設されたコンクリートＣ１の上方空間に露出する。
【００３６】
床板１４の形成後、より詳細には、コンクリートＣ１の硬化の発現後、図６及び図７に示すように、床板１４上に、複数の第１及び第２のＰＣ部材１０，１２の基礎梁部２０、２４と平行に複数の型枠４６を配置し、また、これらの型枠４６間に複数の他の型枠４８を配置する。型枠４６、４８は合板型枠、プレキャストコンクリート製の型枠等からなる。前記型枠の配置により、床板１４上に基礎梁部２０、２４と複数の型枠４６と複数の他の型枠４８とが規定する格子状の空間５０を形成する。型枠４６、４８を床板１４上に鉛直に支持するために、例えば、床板１４上に型枠４６，４８の下縁部を受け入れ可能であるコ字形の横断面形状を有する複数の支持金具５１、Ｌ字形の横断面形状を有する複数の支持金具（図示せず）等を配置し、固定することができる。これらの支持金具５１は後述するコンクリートＣ２中に埋設可能である。
【００３７】
相対する基礎梁部２０、２４及び型枠４６、並びに、相対する２つの型枠４８には、これらの相互間隔を維持するために用いられるセパレータ（図示せず）の挿通を許すねじ穴又は穴（図示せず）が設けられている。
【００３８】
格子状の空間５０を形成するに先立ち、格子状の空間５０となるところに配筋を施す。配筋は、例えば、基礎梁部２０、２４と型枠４６との間に形成されることとなる空間部分（格子状空間５０の一部分）に、上方へ伸びる定着筋２８、３２に重ね継手により接続される複数の鉄筋５２及び該鉄筋に交差する鉄筋５４を配置し、また、型枠４８相互間に形成予定の空間部分に他の鉄筋５６を配置することにより行う。前記配筋は形成される基礎梁１６の補強のために行われる。
【００３９】
その後、図８に示すように、床板１４上に、格子状の空間５０を満たすコンクリートＣ２を打設する。コンクリートＣ２の硬化後、型枠４６、４８が前記合板型枠からなる場合にはこれらを取り外し、併せて、支持金具５１を撤去する。また、前記プレキャストコンクリート製の型枠からなる場合にはこれを取り外すことなくそのままにしておく。これにより、基礎梁部２０、２４と打設されたコンクリートＣ２とで形成された部分と、コンクリートＣ２のみで形成された部分とからなる基礎梁１６を形成する。その結果、既成のＰＣ部材１０、１２と、打設コンクリートＣ１、Ｃ２とからなる前記基礎が構築される。
【符号の説明】
【００４０】
１０  第１のＰＣ部材
１２  第２のＰＣ部材
１４  基礎の床板
１６  基礎の基礎梁
１８  第１のＰＣ部材の床板部
２０  第１のＰＣ部材の基礎梁部
２２  第２のＰＣ部材の床板部
２４  第２のＰＣ部材の基礎梁部
２６、３０  側方に伸びる定着筋
２８、３２  上方に伸びる定着筋
４６、４８  型枠
【図１】
2016098479.tif 000003
【図２】
2016098479.tif 000004
【図３】
2016098479.tif 000005
【図４】
2016098479.tif 000006
【図５】
2016098479.tif 000007
【図６】
2016098479.tif 000008
【図７】
2016098479.tif 000009
【図８】
2016098479.tif 000010